(57)【要約】【課題】  測位部がＧＰＳ受信などによって自機の位置を測位し、その測位結果を無線通信部が携帯電話等の公衆無線通信回線を介して管理サーバ装置へ送信するようにした位置情報管理システムにおいて、システムの機能を容易かつ適切に利用できるようにする。【解決手段】  携帯無線端末１には無線タグ１４を設け、この無線タグ１４と近距離無線通信を行い、管理サーバ装置５に受信した携帯無線端末１に関する端末ＩＤおよび該ユニットのＩＤを送信する位置固定無線ユニット４をさらに設ける。管理サーバ装置５は、以前の携帯無線端末１の捕捉位置を前提にして、該携帯無線端末１の端末制御部１３に実行させるべき制御指令を無線通信回線を介して送信する。したがって、たとえば出かけるのか帰ってきたのかを判断することができ、場合によっては全く逆の制御を行うべきこのような状況を正確に判断し、端末制御部１３に正確な制御指令を与えることができる。【選択図】      図１
2006138695.tif 000002
【特許請求の範囲】
【請求項１】
測位手段と、その測位結果を公衆無線通信回線を介してホスト装置へ送信するための通信手段と、これらを制御する制御手段とを少なくとも備えて成る測位端末と、前記ホスト装置とを含んで構成される位置情報管理システムにおいて、
前記測位端末には無線タグを設け、
前記無線タグと近距離無線通信を行い、前記ホスト装置と前記測位端末に関する識別情報の通信を行う位置固定無線ユニットをさらに設け、
前記測位端末を近傍に捕捉した位置固定無線ユニットから前記測位端末に関する識別情報を受信した前記ホスト装置は、それ以前の測位端末の捕捉位置を前提にして、該測位端末の制御手段に実行させるべき制御指令を前記公衆無線通信回線を介して測位端末へ送信することを特徴とする位置情報管理システム。
【請求項２】
前記無線タグは非接触ＩＣカードであり、前記位置固定無線ユニットは前記非接触ＩＣカードのリーダ装置であることを特徴とする請求項１記載の位置情報管理システム。
【請求項３】
前記無線タグは無線ＬＡＮ通信部と無線ＬＡＮ制御部とを備えて成る無線ＬＡＮ装置であり、前記位置固定無線ユニットは前記無線ＬＡＮのアクセスポイントであることを特徴とする請求項１記載の位置情報管理システム。
【請求項４】
前記無線ＬＡＮ制御部の機能を前記制御手段が実現することを特徴とする請求項３記載の位置情報管理システム。
【発明の詳細な説明】
【技術分野】
【０００１】
本発明は、測位端末で測位した結果を公衆無線通信回線を介してホスト装置へ転送し、該ホスト装置側で測位端末の位置を管理するようにした位置情報管理システムに関する。
【背景技術】
【０００２】
従来から、無線通信装置を搭載した携帯電話の端末装置に、ＧＰＳ（グローバルポジショニングシステム）受信機や基地局との交信によって位置を検出する測位手段を搭載して成る測位端末を用いた位置情報システム（サービス）が提供されている。そして、地下などの前記測位手段での測位に不向きな環境にも対応可能なように、特許文献１で示すように、測位端末にＩＣタグを取付けて、屋内の場合はＩＣタグの情報から位置を検知するようにした複合型の位置処理システムも提案されている。
【特許文献１】特開２００１−３３９７５４号公報
【発明の開示】
【発明が解決しようとする課題】
【０００３】
上記のように構成される位置情報管理システムは、次の２つに大別することができる。先ず第１は、一般の携帯電話の端末装置で広く用いられているように、測位端末を保持したユーザが、必要に応じて位置情報を取得し、ホスト装置からダウンロードした地図画面上に表示するというものである。
【０００４】
一方、第２は、主にセキュリティ用途に用いられ、測位端末が予め設定された一定時間毎に測位を行い、管理センター側のホスト装置にその測位結果を通知し、管理センター側では、表示画面上に、端末を持った人や端末を取付けた物の位置を地図画面に合わせて表示したり、また設定した範囲から出ると保護者へ報知するなどの位置を利用したアプリケーションを行うというものである。
【０００５】
そして、特にユーザが意図せずに測位を行う前記第２の位置情報管理システムにおいて、ユーザが上述のようなシステムの機能を利用する場合は、位置情報表示装置（一般的にはシステムのクライアント端末となるパーソナルコンピュータ）や、測位端末自体を操作する必要がある。したがって、たとえば保護者が子供の外出時に電源をＯＮして持たせようとして電源をＯＮするのを忘れてしまって、サービスを利用できなかったり、帰宅しても電源をＯＦＦするのを忘れてしまって、通信コストが余計にかかったり、思わぬ電池の消費を招いて使用できなくなってしまったりするという問題がある。また、学校内に居るにも拘わらず、電源がＯＮしたままであり、不必要な通信コストおよび電池消費の増加を招くという問題もある。
【０００６】
一方、そのような操作ミスを防ぐために、事前に前記管理センター側のホスト装置に動作スケジュールを登録しておき、このホスト装置からの指令で測位端末の動作を制御するという手法もある。しかしながら、そのような構成では、定期的な利用でも、その都度ユーザがスケジュールの登録操作を行わなければならないという問題がある。また、スケジュールの急な変更には対応できなかったり、開始や終了のタイミングが曖昧で必要時間以上に測位端末を動作させておくことになり、これによっても測位端末の電池寿命を縮めたり、通信コストを増加させることになるという問題もある。
【０００７】
本発明の目的は、システムの機能を容易かつ適切に利用することができる位置情報管理システムを提供することである。
【課題を解決するための手段】
【０００８】
本発明の位置情報管理システムは、測位手段と、その測位結果を公衆無線通信回線を介してホスト装置へ送信するための通信手段と、これらを制御する制御手段とを少なくとも備えて成る測位端末と、前記ホスト装置とを含んで構成される位置情報管理システムにおいて、前記測位端末には無線タグを設け、前記無線タグと近距離無線通信を行い、前記ホスト装置と前記測位端末に関する識別情報の通信を行う位置固定無線ユニットをさらに設け、前記測位端末を近傍に捕捉した位置固定無線ユニットから前記測位端末に関する識別情報を受信した前記ホスト装置は、それ以前の測位端末の捕捉位置を前提にして、該測位端末の制御手段に実行させるべき制御指令を前記公衆無線通信回線を介して測位端末へ送信することを特徴とする。
【０００９】
上記の構成によれば、ＧＰＳ受信や携帯電話の基地局との交信によって自機の位置を測位し、その測位結果を前記携帯電話等の公衆無線通信回線を介してホスト装置へ送信するようにした位置情報管理システムにおいて、前記測位端末には無線タグを設け、これに対応して予め位置の認識されている位置固定無線ユニットを設けて、この位置固定無線ユニットが前記無線タグと近距離無線通信を行って得た測位端末に関する識別情報（端末ＩＤ）を有線または無線の公衆無線通信回線を介してホスト装置へ送信する。ホスト装置は、受信した識別情報の測位端末のそれ以前の捕捉位置を前提にして、該測位端末の制御手段に実行させるべき制御指令を前記公衆無線通信回線を介して送信する。
【００１０】
したがって、近距離無線通信のために、屋内外に拘わらず、測位端末は位置固定無線ユニットから狭い範囲に居ることが確認される。そしてその測位端末の以前の捕捉位置を前提にすることで、たとえば出かけるのか帰ってきたのかを判断することができ、場合によっては全く逆の制御を行うべきこのような状況を正確に判断し、制御手段に正確な制御指令を与えることができる。これによって、位置情報管理システムの機能を容易かつ適切に利用することができる。また、通信量の削減が可能であり、コストを低減することもできる。
【００１１】
また、本発明の位置情報管理システムでは、前記無線タグは非接触ＩＣカードであり、前記位置固定無線ユニットは前記非接触ＩＣカードのリーダ装置であることを特徴とする。
【００１２】
上記の構成によれば、非接触ＩＣカードおよびそのリーダ装置を用いることで、簡単にシステムを構築することができる。
【００１３】
さらにまた、本発明の位置情報管理システムでは、前記無線タグは無線ＬＡＮ通信部と無線ＬＡＮ制御部とを備えて成る無線ＬＡＮ装置であり、前記位置固定無線ユニットは前記無線ＬＡＮのアクセスポイントであることを特徴とする。
【００１４】
上記の構成によれば、位置固定無線ユニットに既設の無線ＬＡＮのアクセスポイントを用いることが可能であり、システムの構築、拡張が容易である。
【００１５】
また、本発明の位置情報管理システムでは、前記無線ＬＡＮ制御部の機能を前記制御手段が実現することを特徴とする。
【００１６】
上記の構成によれば、既設の無線ＬＡＮのアクセスポイントを用いるにあたって、測位端末の構成を簡略化し、測位端末のコストを低減することができる。
【発明の効果】
【００１７】
本発明の位置情報管理システムは、測位端末でＧＰＳ受信や携帯電話の基地局との交信によって自機の位置を測位し、その測位結果を前記携帯電話等の公衆無線通信回線を介してホスト装置へ送信するようにした位置情報管理システムにおいて、前記測位端末には無線タグを設け、これに対応して予め位置の認識されている位置固定無線ユニットを設け、この位置固定無線ユニットが前記無線タグと近距離無線通信を行って得た測位端末に関する識別情報（端末ＩＤ）をホスト装置へ送信し、ホスト装置は受信した識別情報の測位端末のそれ以前の捕捉位置を前提にして、該測位端末の制御手段に実行させるべき制御指令を前記公衆無線通信回線を介して送信する。
【００１８】
それゆえ、近距離無線通信のために、屋内外に拘わらず、測位端末は位置固定無線ユニットから狭い範囲に居ることが確認され、その測位端末の以前の捕捉位置を前提にすることで、たとえば出かけるのか帰ってきたのかを判断することができ、場合によっては全く逆の制御を行うべきこのような状況を正確に判断し、制御手段に正確な制御指令を与えることができる。これによって、位置情報管理システムの機能を容易かつ適切に利用することができる。また、通信量の削減が可能であり、コストを低減することもできる。
【発明を実施するための最良の形態】
【００１９】
［実施の形態１］
図１は、本発明の実施の第１の形態に係る位置情報管理システムのブロック図である。本システムは、大略的に、測位端末である携帯無線端末１と、それによる測位結果を伝達するための公衆無線通信回線を成す携帯電話等の無線基地局２および通信回線３と、既知の設置位置に設けられ、前記携帯無線端末１と近距離無線通信によって通信を行う位置固定無線ユニット４と、前記無線基地局２および位置固定無線ユニット４と携帯無線端末１に関する有線通信を行い、ホスト装置である管理サーバ装置５と、前記位置固定無線ユニット４を管理サーバ装置５に接続する通信回線６とを備えて構成される。
【００２０】
前記携帯無線端末１は、測位手段であり、ＧＰＳ受信または無線基地局２との交信によって自機の位置を測位する測位部１１と、通信手段であり、前記携帯電話等の無線基地局２と無線通信を行う無線通信部１２と、制御手段であり、前記測位部１１および無線通信部１２を制御する端末制御部１３と、前記位置固定無線ユニット４と近距離無線通信を行う無線タグ１４とを備えて構成される。
【００２１】
前記無線タグ１４には、端末を識別できる情報（端末ＩＤ）を、また位置固定無線ユニット４も識別できる情報（ユニットＩＤ）を保持しており、管理サーバ装置５において、どの位置の位置固定無線ユニット４において、どの無線タグ１４が検知されたのかを認識可能となっている。前記無線タグ１４は、電源等も不要であり、測位部１１と、無線通信部１２と、端末制御部１３とを備え、予め登録されたスケジュールなどに従い、管理サーバ装置５からの制御指令によって制御可能な従来の位置情報管理システム用の携帯無線端末に、単に追加搭載、たとえばシール状で貼付けられるだけでもよい。したがって、本発明の携帯無線端末１では、端末制御部１３の制御プログラム等に変更は必要にはならず、既存の構成を用いることができる。
【００２２】
図２は、管理サーバ装置５における携帯無線端末１に対する制御指令の登録内容の一例を示す図である。なお、制御指令は各携帯無線端末１が有する機能に依存する。この図２で示すように、制御指令を出力するにあたって、管理サーバ装置５は、各携帯無線端末１が、今回と前回と、どのユニットＩＤを有する位置固定無線ユニット４で捕捉されたかに応じて、各携帯無線端末１に実行させるべき制御指令を作成し、無線基地局２から送信する。
【００２３】
図３は、以下に示すシステム動作例における時間経過に伴う制御指令の変化を示す図である。また、図４は、その動作例によるシーケンス図である。この例では、携帯無線端末１は、測位部１１で測位した結果を定期的に無線基地局２経由で管理サーバ装置５へ送信する定期測位機能と、設定したエリア外に携帯無線端末１が出たことを知らせるエリア監視機能と、前記定期測位やエリア監視の動作を停止し、無線基地局２からの呼出しにのみ応答可能で、低消費電力な待機機能とを有するものとする。
【００２４】
この動作例は、携帯無線端末１を保持するユーザが、Ａ地点からＢ地点を経由してＣ地点に移動する例を表し、各地点Ａ，Ｂ，Ｃに設置された位置固定無線ユニット４のＩＤを、それぞれ同じ記号（Ａ），（Ｂ），（Ｃ）で表す。先ず、今回捕捉した位置固定無線ユニットと前回捕捉した位置固定無線ユニットとのそれぞれのユニットＩＤの関係に対して、各携帯無線端末１毎に、送信する制御指令を関連付けて管理サーバ装置５に登録しておく。
【００２５】
移動を開始すると、Ａ地点にある位置固定無線ユニット（Ａ）の近傍で携帯無線端末１が捕捉される。これによって、無線タグ１４に保持されている該携帯無線端末１の端末ＩＤ（１２３４５）が位置固定無線ユニット（Ａ）で受信され、その端末ＩＤがユニットＩＤ（Ａ）と共に管理サーバ装置５に送信される。サンプル１として、それらの端末ＩＤとユニットＩＤ（Ａ）とを受信した管理サーバ装置５は、それ以前の携帯無線端末１の捕捉位置（前回ユニットＩＤ）を前提にして（ただし、この例では前回ユニットＩＤは何でもよい）、携帯無線端末１に実行させるべき制御指令を、該管理サーバ装置５に登録された制御指令テーブルから検索する。そして、検索によって得られた制御指令（１：定期測位）を携帯無線端末１と現在通信可能な無線基地局２経由で無線送信する。なお、該当する制御指令がない場合は、何も送信しない、もしくは事前に登録しておいた制御指令を送信する。また、制御指令は複数でもよい。
【００２６】
制御指令を受信した携帯無線端末１は、次のユニットＩＤが検知され、管理サーバ装置５から新たな制御指令が出力されるまで、該当する機能（定期測位）を継続して実行し、必要に応じて結果を管理サーバ装置５に返信する（定期測位につき、定期的に測位を行い、その都度測位結果を送信してもよく、予め定めるサンプル数または予め定める時間分のデータが得られてから送信してもよい。）。その結果は、必要に応じて、管理サーバ装置５と通信可能であり、保護者などが確認可能な位置情報表示装置（一般的にはシステムのクライアントパソコン）に表示するようにしてもよい。
【００２７】
続いて、携帯無線端末１が移動し、次の位置固定無線ユニット（Ｂ）の近傍で捕捉され、無線タグ１４に保持されている端末ＩＤが受信されると、その端末ＩＤはユニットＩＤ（Ｂ）と共に管理サーバ装置５に送信される。これを受信した管理サーバ装置５は、それ以前の携帯無線端末１の捕捉位置（前回ユニットＩＤ（Ａ））を前提にして、該携帯無線端末１に実行させるべき制御指令を、管理サーバ装置５に登録された制御指令テーブルから検索する。検索によって得られた制御指令（２：エリア監視）は、携帯無線端末１と現在通信可能な無線基地局２経由で無線送信される。制御指令を受信した携帯無線端末１は、該当する機能（エリア監視）を実行し、結果を管理サーバ装置５に返信する（エリア監視につき、エリアから出た時点で、そのことを表す信号を送信。エリア外に出なければ、返信無し。）。
【００２８】
さらに携帯無線端末１が移動し、次の位置固定無線ユニット（Ｃ）の近傍で捕捉され、無線タグ１４に保持されている端末ＩＤが受信されると、その端末ＩＤはユニットＩＤ（Ｃ）と共に管理サーバ装置５に送信される。これを受信した管理サーバ装置５は、それ以前の携帯無線端末１の捕捉位置（前回ユニットＩＤ（Ｂ））を前提にして、該携帯無線端末１に実行させるべき制御指令を、管理サーバ装置５に登録された制御指令テーブルから検索する。検索によって得られた制御指令（３：待機）を携帯無線端末１と現在通信可能な無線基地局２経由で無線送信する。制御指令を受信した携帯無線端末１は、該当する機能（待機）を実行し、結果を管理サーバ装置５に返信する（待機につき、待機モードになった時点で応答を返信し、または定期的に待機モードであることを返信し、或いは無応答でもよい。）。
【００２９】
復路で再び位置固定無線ユニット（Ｃ）で同じ端末ＩＤが受信されると、管理サーバ装置５は、該携帯無線端末１に実行させるべき制御指令（４：定期測位）を検索し、無線送信して、該携帯無線端末１を再起動する。
【００３０】
図５は、前記管理サーバ装置５の動作を示すフローチャートである。ステップＳ１では、何れかの位置固定無線ユニット４によって何れかの無線タグ１４が検知されたか否かが判断され、検知されるとステップＳ２に移り、前述のように前回ユニットＩＤと今回ユニットＩＤとに対応した制御指令を、制御指令テーブルから検索し、無線基地局２経由で無線送信し、前記ステップＳ１に戻る。
【００３１】
一方、前記ステップＳ１において無線タグ１４が検知されない場合はステップＳ３に移り、測位結果の受信やエリア外へ出たことを表す信号を受信するなどの携帯無線端末１からの何らかのトリガが発生したか否かが判断され、そうでないときにはさらにステップＳ４において、予め登録されたスケジュールによるトリガが発生したか否かが判断され、そうでないときにはそのまま前記ステップＳ１に戻る。これに対して、前記ステップＳ３において携帯無線端末１からのトリガが発生した場合およびステップＳ４においてスケジュールによるトリガが発生した場合はステップＳ５に移り、それらのトリガに対応した制御指令を、制御指令テーブルから検索し、無線基地局２経由で無線送信し、前記ステップＳ１に戻る。
【００３２】
以上のように、本発明の位置情報管理システムは、測位部１１と、無線通信部１２と、端末制御部１３とを備え、予め登録されたスケジュールなどに従い、管理サーバ装置５からの制御指令によって制御可能な位置情報管理システム用の携帯無線端末に、無線タグ１４を追加搭載するとともに、その無線タグ１４と近距離無線通信を行う位置固定無線ユニット４を既知の位置に設け、管理サーバ装置５が、位置固定無線ユニット４で端末ＩＤを受信すると、それ以前の捕捉位置を前提にして、端末制御部１３に実行させるべき制御指令を送信するので、先ず近距離無線通信のために、屋内外に拘わらず、携帯無線端末１は位置固定無線ユニット４から狭い範囲に居ることが確認でき、さらに以前の捕捉位置を前提にすることで、たとえば出かけるのか、または帰ってきたのかなどまでも判断することができ、場合によっては全く逆の制御を行うべきこのような状況を正確に判断し、端末制御部１３に正確な制御指令を与えることができる。これによって、位置情報管理システムの機能を、容易かつ適切に利用することができる。また、通信量の削減が可能であり、コストを低減することもできる。
【００３３】
［実施の形態２］
図６は、本発明の実施の第２の形態に係る位置情報管理システムのブロック図である。本システムは、上述の図１〜図５で示すシステムに類似し、対応する部分には同一の参照符号を付して示し、その説明を省略する。注目すべきは、本システムの携帯無線端末２１では、前記無線タグ１４に代えて非接触ＩＣカード２２が用いられ、これに対応して、前記位置固定無線ユニット４が非接触ＩＣカードのリーダ装置２４に変更されていることである。非接触ＩＣカード２２には前記端末ＩＤが書込まれており、リーダ装置２４にも前記ユニットＩＤが設定されている。リーダ装置２４は、読取った端末ＩＤと共にユニットＩＤを前記管理サーバ装置５に送信する。
【００３４】
このように、非接触ＩＣカード２２およびそのリーダ装置２４を用いることで、鉄道の定期券や乗車券およびＩＤカードなどで普及が著しい非接触ＩＣカード２２を利用して、簡単にシステムを構築することができる。
【００３５】
［実施の形態３］
図７は、本発明の実施の第３の形態に係る位置情報管理システムのブロック図である。本システムは、上述の図１〜図５で示すシステムに類似し、対応する部分には同一の参照符号を付して示し、その説明を省略する。注目すべきは、本システムの携帯無線端末３１では、前記無線タグ１４または非接触ＩＣカード２２に代えて、無線ＬＡＮ装置３２が用いられ、これに対応して、前記位置固定無線ユニット４または非接触ＩＣカードのリーダ装置２４が既設の無線ＬＡＮのアクセスポイント３４に変更されていることである。無線ＬＡＮ装置３２は、無線ＬＡＮ通信が可能な無線ＬＡＮ通信部３３と、その無線ＬＡＮ通信部３３を制御する無線ＬＡＮ制御部３６とを備えて構成される。
【００３６】
本システムの動作は、以下の通りである。先ず、無線ＬＡＮ制御部３６に前記端末ＩＤと管理サーバ装置３５の宛先（アドレス）を登録しておく。また、無線ＬＡＮアクセスポイント３４の識別情報をユニットＩＤとして管理サーバ装置３５に登録しておく。携帯無線端末３１の無線ＬＡＮ通信部３３が無線ＬＡＮアクセスポイント３４を近傍に捕捉すると、無線ＬＡＮ制御部３６は、無線ＬＡＮアクセスポイント３４の識別情報（ユニットＩＤ）を取得後、登録された端末ＩＤと共に、無線ＬＡＮ通信部３３から無線ＬＡＮアクセスポイント３４を介して、登録された管理サーバ装置３５に送信する。これ以降の動作については、図１のシステムと同じになる。
【００３７】
このように前述の位置固定無線ユニット４として既設の無線ＬＡＮのアクセスポイント３４を用いることでも、システムの構築、拡張が容易になる。
【００３８】
［実施の形態４］
図８は、本発明の実施の第４の形態に係る位置情報管理システムのブロック図である。本システムは、上述の図７で示すシステムに類似し、対応する部分には同一の参照符号を付して示す。注目すべきは、本システムでは、前述の無線ＬＡＮアクセスポイント３４を用いる点は図７のシステムと同様であるけれども、携帯無線端末４１側は、無線ＬＡＮに関して前記無線ＬＡＮ通信部３３が設けられるだけで、前記無線ＬＡＮ制御部３６の機能は端末制御部４３が行うことである。
【００３９】
本システムの動作は、以下の通りである。先ず、端末制御部４３に前記端末ＩＤと管理サーバ装置３５の宛先（アドレス）を登録しておく。また、無線ＬＡＮアクセスポイント３４の識別情報をユニットＩＤとして管理サーバ装置３５に登録しておく。携帯無線端末４１の無線ＬＡＮ通信部３３が無線ＬＡＮアクセスポイント３４を近傍に捕捉すると、端末制御部４３は、無線ＬＡＮアクセスポイント３４の識別情報（ユニットＩＤ）を取得後、登録された端末ＩＤと共に、無線ＬＡＮ通信部３３から無線ＬＡＮアクセスポイント３４を介して、登録された管理サーバ装置３５に送信する。これ以降の動作については、図１のシステムと同じになる。
【００４０】
このように構成することによって、既設の無線ＬＡＮのアクセスポイント３４を用いるにあたって、携帯無線端末４１の構成を簡略化し、該携帯無線端末４１のコストを低減することができる。
【００４１】
ここで、特開平５−２０７０１８号公報には、ＩＤコードが記憶され、ユーザが保持するトランスポンダカードを、各通過点で天井などに設けた受信装置で認識し、予め登録された動作、たとえば出勤時間管理やパーソナルコンピュータの自動立ち上げなどを行うことが示されているけれども、近距離無線通信のみを利用した負荷機器の制御であり、前記近距離無線通信を測位端末の制御に用いる本発明とは全く異なるものである。
【図面の簡単な説明】
【００４２】
【図１】本発明の実施の第１の形態に係る位置情報管理システムのブロック図である。
【図２】図１で示す位置情報管理システムにおける管理サーバ装置の携帯無線端末に対する制御指令の登録内容の一例を示す図である。
【図３】携帯無線端末の移動に伴う前記制御指令の変化を示す図である。
【図４】図３で示す動作例のシーケンス図である。
【図５】図１で示す位置情報管理システムにおける管理サーバ装置の動作を示すフローチャートである。
【図６】本発明の実施の第２の形態に係る位置情報管理システムのブロック図である。
【図７】本発明の実施の第３の形態に係る位置情報管理システムのブロック図である。
【図８】本発明の実施の第４の形態に係る位置情報管理システムのブロック図である。
【符号の説明】
【００４３】
１，２１，３１，４１    携帯無線端末
２    無線基地局
３，６  通信回線
４    位置固定無線ユニット
５，３５    管理サーバ装置
１１    測位部
１２    無線通信部
１３，４３    端末制御部
１４    無線タグ
２２    非接触ＩＣカード
２４    リーダ装置
３２    無線ＬＡＮ装置
３３    無線ＬＡＮ通信部
３４    アクセスポイント
３６    無線ＬＡＮ制御部
【図１】
2006138695.tif 000003
【図２】
2006138695.tif 000004
【図３】
2006138695.tif 000005
【図４】
2006138695.tif 000006
【図５】
2006138695.tif 000007
【図６】
2006138695.tif 000008
【図７】
2006138695.tif 000009
【図８】
2006138695.tif 000010